(57)【要約】【課題】複数種類の蛍光体を含有する色変換プレートの各蛍光体から発せられた蛍光が他の蛍光体で吸収されにくく、発光素子からの光を効率よく各蛍光体に到達させることができ、かつ、色度むらを低減した発光装置を提供する。【解決手段】色変換プレート５は、海領域２１と島領域２２とを含む海島構造であり、島領域２２は、色変換プレートを厚み方向に貫通し、色変換プレートの上面および下面からその一部が露出されている。島領域２２には第１の蛍光体が含有され、海領域２１には第２の蛍光体が含有されている。第１の蛍光体の蛍光波長は、第２の蛍光体の蛍光波長よりも長波長である。長波長の第１の蛍光体が島の海島構造であるため、色度むらが生じにくく、かつ、２色の蛍光を直接上方から出射することができる。【選択図】図１
2010192762.tif 000002
【特許請求の範囲】
【請求項１】
発光素子と、前記発光素子の上に搭載され、当該発光素子の発する光を吸収し蛍光を発する第１及び第２の蛍光体を少なくとも含有する色変換プレートとを有し、
前記色変換プレートは、海領域と、該海領域に点在する島領域とを含む海島構造であり、前記島領域は、前記色変換プレートを厚み方向に貫通し、前記色変換プレートの上面および下面からその一部が露出され、
前記島領域には前記第１の蛍光体が含有され、前記海領域には前記第２の蛍光体が含有されていることを特徴とする半導体発光装置。
【請求項２】
請求項１に記載の半導体発光装置において、前記第１の蛍光体の蛍光波長は、前記第２の蛍光体の蛍光波長よりも長波長であることを特徴とする半導体発光装置。
【請求項３】
請求項１または２に記載の半導体発光装置において、前記海領域は、前記第１の蛍光体の他に、第３の蛍光体が含有され、当該第３の蛍光体の蛍光波長は、前記第１の蛍光波長よりも短波長であることを特徴とする半導体発光装置。
【請求項４】
請求項１または２に記載の半導体発光装置において、前記海領域には、前記第１の蛍光体が含有された前記島領域とは別に、第３の蛍光体が含有された第２の島領域が点在して配置され、当該第３の蛍光体の蛍光波長は、前記第１の蛍光波長よりも短波長であることを特徴とする半導体発光装置。
【請求項５】
請求項１または２に記載の半導体発光装置において、前記半導体発光素子は青色光を発光し、前記第１の蛍光体は、青色光を吸収し、赤色の蛍光を発するものであり、前記第２の蛍光体は、青色光を吸収し、緑色の蛍光を発するものであることを特徴とする半導体発光装置。
【請求項６】
請求項３または４に記載の半導体発光装置において、前記半導体発光素子は紫外光を発光し、前記第１の蛍光体は、紫外光を吸収し、赤色の蛍光を発するものであり、前記第２の蛍光体は、紫外光を吸収し、緑色の蛍光を発するものであり、前記第３の蛍光体は、紫外光を吸収し、青色の蛍光を発するものであることを特徴とする半導体発光装置。
【発明の詳細な説明】
【技術分野】
【０００１】
本発明は、半導体発光素子の出射光を波長変換する部材を備えた半導体発光装置に関する。
【背景技術】
【０００２】
半導体発光素子の上に、２種類以上の蛍光体層を配置することにより、半導体発光素子の光を２種類以上の波長光に変換し、これらの光が混合された光を出射する発光素子が知られている。
【０００３】
例えば特許文献１および特許文献２には、半導体発光素子上に、２層以上の蛍光体層を積層した構造が開示されている。２層以上の蛍光体層は、半導体発光素子からの光を吸収し、所定波長の蛍光を発する。このとき、半導体発光素子に近い側に配置される蛍光体層ほど蛍光波長が長くなるように積層順が設定されている。具体的には、青色光を発する半導体素子の上に、赤色蛍光を発する赤色蛍光体層、緑色蛍光を発する緑色蛍光体層をこの順に積層している。このような積層順にすることにより、赤色蛍光体層から発せられた赤色蛍光が、その上に配置された緑色蛍光体層によって吸収されないため、大きな発光輝度を得られる。
【０００４】
特許文献３には、紫外光を発する発光素子の上に、３層の蛍光体層を積層した板状部材を配置する発光装置が開示されている。３層の蛍光体層は、紫外光を吸収しそれぞれ赤色、緑色、青色の蛍光を発する蛍光体層であり、発光素子側からこの順に配置され、３色の光が混合された白色光を出射する。３層を上記配置とすることにより、各蛍光体層から発せられた蛍光がその上に配置された蛍光体層によって吸収されないため、取り出し効率を向上させることができる。
【０００５】
特許文献４では、発光素子の上に配置された色変換材を配置する構造において、観察する角度によって輝度むら、色むらが発生するのを解決するために、色変換材の面内濃度分布が中央から外周に向かって減少するようにしている。具体的には、透明部材に溝を設け、溝に蛍光体を充てんする構造とし、溝の深さを外周に行くほど浅くする、もしくは、溝の間隔を外周に行くほど広げる等した構成が開示されている。
【０００６】
特許文献５には、赤色、緑色、青色の各蛍光体のセルを平面状に敷きつめ、３種の蛍光体が光路方向に重ならない構成とし、各蛍光体から発生した蛍光が他の蛍光体に吸収されないようにした波長変換部が開示されている。
【先行技術文献】
【特許文献】
【０００７】
【特許文献１】特開２００４−１７９６４４号公報
【特許文献２】特開２００５−２７７１２７号公報
【特許文献３】特開２００７−１３４６５６号公報
【特許文献４】特許第４１２３０５７号公報
【特許文献５】特開２００８−２５８１７１号公報
【発明の概要】
【発明が解決しようとする課題】
【０００８】
上述した特許文献１、２、３の構成はいずれも、赤色蛍光体の吸収端が緑色波長よりも長波長側に位置するため、赤色蛍光体層が緑色蛍光体層よりも上側に位置すると、緑色蛍光体層から発せられた緑色光が赤色蛍光体層によって吸収されてしまい、発光輝度が低下する現象を抑えるための構造である。しかしながら、このような構成の半導体発光装置では、発光素子、例えば青色発光素子から出射される光の大部分は、素子側に配置されている赤色蛍光体層で吸収されてしまい、吸収されなかった一部の光のみが緑色発光蛍光体層に到達して波長変換される。このため、半導体発光素子から出射された光を、励起光として効率よく利用することができないという問題がある。
【０００９】
同様に、紫外光を発する発光素子を用い、青、緑、赤色の３層の蛍光体層を積層する構成で混色による白色光を得ようとした場合、発光素子からの紫外光の大部分は緑、赤蛍光体に吸収され、青色蛍光体に到達する紫外光の強度が低減し、波長変換効率が悪い。
【００１０】
特許文献４に記載の技術は、観察する角度による輝度むらを低減するために、色変換材の面内濃度分布を調整しているが、使用する蛍光体は１種類であり、複数の蛍光体間の励起光や蛍光の吸収という問題を解決するものではない。
【００１１】
特許文献５に記載の技術は、３種類の蛍光体のセルを平面状に敷き詰める色変換部材を開示しているが、セルごとに発する蛍光の波長が異なるため、面内方向に色度むらが生じる可能性がある。
【００１２】
本発明の目的は、複数種類の蛍光体を含有する色変換プレートの各蛍光体から発せられた蛍光が他の蛍光体で吸収されにくく、発光素子からの光を効率よく各蛍光体に到達させることができ、かつ、色度むらを低減した発光装置を提供することにある。
【課題を解決するための手段】
【００１３】
上記目的を達成するために、本発明の第１の態様によれば、以下のような半導体発光装置が提供される。すなわち、発光素子と、発光素子の上に搭載され、発光素子の発する光を吸収し蛍光を発する第１及び第２の蛍光体を少なくとも含有する色変換プレートとを有し、色変換プレートは、海領域と、海領域に点在する島領域とを含む海島構造である。島領域は、色変換プレートを厚み方向に貫通し、色変換プレートの上面および下面からその一部が露出されている。島領域には第１の蛍光体が含有され、海領域には第２の蛍光体が含有されている。色変換プレートは、発光素子側の面にも上面にも海領域と島領域が露出しているため、それぞれの蛍光体を発光素子の光で同時に励起でき、しかも、上面から蛍光を直接出射させることができ、色変換効率を向上させることができる。
【００１４】
第１の蛍光体の蛍光波長は、第２の蛍光体の蛍光波長よりも長波長であることが望ましい。長波長の第１の蛍光体を島領域に含有することにより、短波長の第２の蛍光体の蛍光が第１の蛍光体に吸収されにくく、色むらを低減できる。
【００１５】
海領域には、第１の蛍光体の他に、第３の蛍光体が含有される構成にすることができる。第３の蛍光体の蛍光波長は、第１の蛍光波長よりも短波長であることが望ましい。これにより、色変換プレートにより３色の蛍光を発光させることができる。
【００１６】
海領域には、第１の蛍光体が含有された島領域とは別に、第３の蛍光体が含有された第２の島領域が点在して配置される構成とすることも可能である。第３の蛍光体の蛍光波長は、第１の蛍光波長よりも短波長であることが望ましい。
【００１７】
例えば、半導体発光素子は青色光を発光し、第１の蛍光体は、青色光を吸収し、赤色の蛍光を発するものを用い、第２の蛍光体は、青色光を吸収し、緑色の蛍光を発するものを用いることが可能である。
【００１８】
また、半導体発光素子は紫外光を発光し、第１の蛍光体は、紫外光を吸収し、赤色の蛍光を発するものを用い、第２の蛍光体は、紫外光を吸収し、緑色の蛍光を発するものを用い、第３の蛍光体は、紫外光を吸収し、青色の蛍光を発するものを用いることが可能である。
【図面の簡単な説明】
【００１９】
【図１】実施形態１のフリップチップ型の半導体発光装置の（ａ）断面図、（ｂ）上面図。
【図２】図１の半導体発光装置の色変換プレート５の（ａ）断面図、（ｂ）上面図。
【図３】実施形態１の赤色蛍光体および緑色蛍光体の吸収スペクトルと蛍光スペクトルを示すグラフ。
【図４】（ａ）〜（ｃ）実施形態１の色変換プレート５の製造工程を示す説明図。
【図５】実施形態３のメタルボンディング型の半導体発光装置の（ａ）断面図、（ｂ）上面図。
【発明を実施するための形態】
【００２０】
本発明の一実施の形態の発光装置について図面を用いて説明する。
【００２１】
＜実施形態１＞
実施形態１の発光装置は、青色発光のフリップチップ素子の出射する青色光の一部を、色変換プレートによって赤色光と緑色光に変換し、青、赤、緑色光が混色された白色光を発光する装置である。
【００２２】
図１（ａ），（ｂ）に実施形態１の発光装置の断面図および上面図を示す。予め電極や配線が形成された基板１上には、図１（ａ）にしめすようにＡｕバンプ２によりフリップチップ型の半導体発光素子３が実装され、その上に、透明接着層４を介して色変換プレート５が搭載されている。半導体発光素子３および色変換プレート５の側面は、光反射枠部６によって包囲されている。
【００２３】
フリップチップ型半導体発光素子３は、図示していないが、青色光に対して透明な素子基板と、その上に積層された発光層とを有し、発光層を基板１側に、素子基板を色変換プレート５側に向けて配置されている。
【００２４】
色変換プレート５は、図２（ａ）、（ｂ）にその断面図と上面図とを拡大して示したように、板状の領域２１と、当該板状の領域２１の厚さ方向に設けられた複数の円柱状の領域２２とを有する。複数の円柱状の領域２２は、主平面方向に２次元に配列して配置されている。
【００２５】
板状の領域２１には、青色光を吸収して緑色の蛍光を発する蛍光体（緑色蛍光体と称する）が分散されている。円柱状の領域２２には、青色光を吸収し赤色の蛍光を発する蛍光体（以下、赤色蛍光体と称する）が分散されている。
【００２６】
すなわち、色変換プレート５は、緑色蛍光体の領域２１（海領域）に円柱状の赤色蛍光体領域２２が島状に点在する海島構造のプレートである。
【００２７】
赤色蛍光体領域２２の赤色蛍光体としては、青色光を吸収し赤色蛍光を発する、例えばCaAlSiN3:Eu、(Ca,Sr)2Si5N8:Eu、(Ca,Sr)S:Euを用いる。緑色蛍光体領域２１の緑色蛍光体として、青色光を吸収し緑色蛍光を発する例えば(Ba,Sr)2SiO4:Eu、CaSc2O4:Ce、(Ca,Sr)Ga2S4:Eu、Ca8MgSi4O16Cl2:Eu、(Si,Al)6(O,N)8:Euを用いることができる。また、赤色蛍光体領域２２の基材となる材料としては、赤、緑および青色光に対して透明な材料であって、印刷手法によって成型可能な材料であることが望ましく、例えば、熱硬化性樹脂であるエポキシ樹脂、シリコーン樹脂等を用いることができる。緑色蛍光体領域２１の緑色蛍光体を分散させる基材となる材料としては、赤、緑および青色光に対して透明な材料であって、例えば射出成型や金型成型で所定形状に加工可能な材料であることが望ましく、例えばエポキシ樹脂、シリコーン樹脂、もしくはその複合樹脂等の樹脂やガラスを用いることができる。
【００２８】
色変換プレート５から発せられる白色光の色度や輝度の均一性は、島状の赤色蛍光体領域２２の径に影響を受けるため、必要とされる色度の均一性が得られるように赤色蛍光体領域２２の円柱の径を調整する。たとえば、色変換プレート５の一辺が１ｍｍ程度である場合には、一つの赤色蛍光体領域２２の径は２０μｍ以上２００μｍ以下程度であることが色度の均一性が高いため望ましい。
【００２９】
透明接着層４は、半導体素子３に色変換プレート５を接着する接着剤の層であり、少なくとも青色光に透明な材質からなる。
【００３０】
光反射枠部６は、樹脂に屈折率の異なるフィラーを分散した材料によって構成されている。フィラーとしては、例えば酸化チタン、酸化アルミニウム、硫酸バリウムなどから適宜選択して用いる。
【００３１】
このような本実施形態の発光装置において、発光素子３から出射された青色光は、透明接着層４を通過し、色変換プレート５の下面（発光素子３側の面）に入射する。図２（ａ）に示すように、色変換プレート５の下面には、円柱状の赤色蛍光体領域２２の下面が点在して露出し、その間を海状に緑色蛍光体領域２１が広がっている構成であるため、青色光は赤色蛍光体領域２２にも緑色蛍光体領域２１にもそれぞれ直接入射し、それぞれの蛍光体を励起する。これにより、赤色蛍光体領域２２では赤色蛍光が発せられる。緑色蛍光体領域２１では緑色蛍光が発せられる。
【００３２】
円柱状の赤色蛍光体領域２２で生じた赤色蛍光は、緑色蛍光体領域２１との界面を通って緑色蛍光体領域２１に入射し、緑色蛍光体領域２１を通過し、色変換プレート５の上面から出射される。このとき、緑色蛍光体の吸収スペクトルの吸収端は、図３に示すように赤色光波長領域よりも短波長側に位置するため、赤色蛍光は緑色蛍光体領域２１で吸収されることなく透過することができ、赤色蛍光強度が減衰しない。
【００３３】
一方、海領域である緑色蛍光体領域２１で生じた緑色蛍光のうち上方へ向かう光は、赤色蛍光体領域２２を通過することなく、色変換プレート５の上面から出射される。赤色蛍光体の吸収スペクトルの吸収端は、緑色光波長領域にかかっているため、赤色蛍光体は緑色蛍光を吸収するが、本実施形態では、赤色蛍光体を円柱形状の島状に存在するのみで、海状の緑色蛍光体領域２１で生じた緑色蛍光は多くは赤色蛍光体領域２２を通過しないで色変換プレート５の上面に到達することができる。よって、緑色蛍光の赤色蛍光体による吸収は少なく、効率よく緑色蛍光も出射することができる。
【００３４】
発光素子３から出射され色変換プレート５に入射した青色光の一部は、赤色蛍光体領域２２および緑色蛍光体領域２１を透過し、色変換プレート５の上面から出射される。
【００３５】
よって、色変換プレート５の上面からは、赤色光、緑色光、青色光の混色された白色光が出射される。
【００３６】
また、発光素子３と色変換プレート５の側面には、光反射枠部６により包囲されているため、発光素子３の透明性基板の側面から出射した光を効率よく色変換プレート５に導くことができる。また、色変換プレート５の側面から出射する光を上面方向に導くことができる。これにより、色変換プレートの色変換効率および出射効率を高めることができる。
【００３７】
このように、本実施形態の色変換プレート５は、海部である緑色蛍光体領域２１と島部である赤色蛍光体領域２２が、発光素子３の光路方向（色変換プレート５の厚み方向）に重ならない構造であるため、赤色蛍光体と赤色蛍光体を効率よく励起できる。
【００３８】
また、緑色蛍光体領域２１を海部、赤色蛍光体領域２２を島部とし、海部が点在する島部を主平面方向において取り囲んでいるため、赤色光と緑色光とが均一に混合され、色度むらや輝度むらの少ない白色光を発することができる。
【００３９】
実際に発光素子３から放射された青色光の光路に沿って色変換作用を説明すると、青色光は海部である緑色蛍光体領域２１を通過する際にその一部が緑色蛍光体により波長変換され、混色光である青緑光になる。また、島部である赤色蛍光体領域２２を通過する際にその一部が赤色蛍光体により波長変換され、混色光である赤紫光となる。さらに、海部の緑色蛍光体領域２１および島部である赤色蛍光体領域２２から水平方向に相互に緑色光と赤色光が干渉し合うことにより、黄色光が生じる。このように、光成分が分解、合成されることにより極めて均一で、かつ波長変換効率の高い混合白色光が得られる。
【００４０】
本実施形態の発光装置は、赤色蛍光体領域２２に含有される蛍光体量および円筒径を調整することにより、赤色光の強度を調整することができる。円筒径を調整することにより、緑色蛍光体領域２１に入射する青色光の光量が変化するため、緑色蛍光体量も変化する。よって、これらを調整することにより、白色光の色度や輝度を所望の値に変化させることができる。
【００４１】
また、本実施形態の色変換プレート５は一般的な印刷法を利用し、多数枚を連続した１枚の大面積プレートとして製造した後、個々に切り出して多数枚を一度に製造することが可能である。よって、個々の色変換プレート５の色変換機能は、同一ロット（同一大面積プレート）内で一定であり、個々の半導体発光素子に色変換材を塗布形成していた従来技術と比較して製品の色バラツキ歩留まりを大幅に向上させることができる。
【００４２】
以下、本実施形態の発光装置の製造方法の一例について説明する。
【００４３】
色変換プレート５は図４（ａ）〜（ｃ）のようにして作製される。予め緑色蛍光体が所定濃度分散された樹脂またはガラスによって形成された基板を用意する。例えば、溶融ガラス成形プレートや、エポキシ樹脂シリコーン樹脂、もしくはその複合樹脂を用いた射出成形プレートなどである。この緑色蛍光体基板の片面に、図４（ａ）のように所定の直径、間隔で配置された円筒形の貫通孔４１を金型により転写成形する。このプレートが緑色蛍光体領域２１（海部）となる。
【００４４】
次に、図４（ｂ）のように赤色蛍光体を所定濃度で分散させた熱硬化性樹脂４２を、スキージ印刷法などで凹部４１に充填して硬化させる。充填された樹脂が赤色蛍光体領域２２となる。
【００４５】
最後に、図４（ｃ）のように切削歯４３等で発光素子３のサイズと同等もしくはそれ以上のサイズに分割し、色変換プレート５を製造する。
【００４６】
別途用意しておいた基板１上にＡｕバンプ２により、半導体発光素子３をフリップチップ実装する。その上に透明接着材を塗布することにより、透明接着層４を形成し、その上に上記工程で製造した色変換プレート５を、赤色蛍光体領域２２が形成されている側の面を発光素子３側に向けて搭載する。
【００４７】
最後に、熱硬化性樹脂等の樹脂に酸化チタン等のフィラーを分散させたものを発光素子３および色変換プレート５の側面全周にディスペンサー塗布装置等で塗布した後硬化させる。以上により、図１（ａ），（ｂ）の発光装置が完成する。
【００４８】
＜実施形態２＞
本発明の実施形態２の発光装置として、紫外光を発光する素子を用いた発光装置について説明する。
【００４９】
実施形態１では、青色発光素子３を用い、色変換プレート５として緑色蛍光体領域２１に赤色蛍光体領域２２を点在させた装置を説明したが、紫外光を発光する発光素子を用い、色変換プレートによって、紫外光を赤、緑、青色光に変換し、これらを混色した白色光を発光する構造にすることも可能である。
【００５０】
たとえば、実施形態１の色変換プレート５の緑色蛍光体領域２１に緑色蛍光体の他に、紫外光を励起光として青色蛍光を発する蛍光体（青色蛍光体）を分散させる。これにより、海部である領域２１から緑色蛍光の他に青色蛍光が発せられ、島部である赤色蛍光体領域２２から発せられた赤色蛍光と混色されることにより白色光が出射される。
【００５１】
また、緑色蛍光体領域２１に赤色蛍光体領域２２とは別に青色蛍光体領域を設けることも可能である。青色蛍光体領域は、青色蛍光体を透明樹脂等に分散した領域とする。青色蛍光体領域の形状としては、色変換プレート５を厚さ方向に貫通する円柱状や、色変換プレート５の上面に一部が露出された半球状等にすることができる。
【００５２】
このような青色蛍光体領域を備えた色変換プレートは、実施形態１で説明した製造工程において図４（ｃ）の工程まで施した後に、図４（ａ）の工程に戻り、青色蛍光体領域用の円柱状貫通孔や半球状の凹部を形成した後、図４（ｂ）の工程で青色蛍光体分散樹脂を印刷スキージ等で充填することにより形成することができる。もしくは、図４（ａ）の工程で緑色蛍光体領域２１のプレートの赤色蛍光体領域用の円筒状凹部の貫通孔４１として形成し、さらに片面には青色蛍光体領域用の穴部として円筒状や半球状の凹部を形成する。これにより、図４（ｂ）の工程では、青色蛍光体領域用の凹部の開口がない側の面から赤色蛍光体領域用の貫通孔４１に赤色蛍光体分散樹脂４２を印刷スキージ等により充填した後、プレートを裏返し、青色蛍光体領域用の凹部に青色蛍光体分散樹脂を印刷スキージ等で充填することができる。最後に、図４（ｃ）の工程で大面積プレートを個々の色変換プレート５に切断する。
【００５３】
＜実施形態３＞
実施形態３の発光装置について図５（ａ）、（ｂ）を用いて説明する。
【００５４】
図５（ａ），（ｂ）の発光装置では、予め電極や配線が形成された基板１上に青色光を発する半導体発光素子５３がＡｕＳｎ共晶５７およびＡｕボンディングワイヤー５６により実装されている。ＭＢ素子５３の上には、透明接着層４を介して色変換プレート５が接着されている。
【００５５】
半導体発光素子５３は、素子基板とその上に形成された発光層とを含み、素子基板は青色光に対して不透明なメタルボンディング（Metal Bonding：ＭＢ）素子である。ＭＢ素子５３は、素子基板を基板１側に、発光層を色変換プレート５側に向けて基板１上にＡｕＳｎ共晶５７によりダイボンディングされている。ＭＢ素子５３の上面には不図示のＡｕワイヤパッドが形成されており、ボンディングワイヤー５６により基板１上の電極と接続される。
【００５６】
色変換プレート５の領域２１，２２の構造は、実施形態１と同様の構成であるが、ＭＢ素子５３上面のボンディングワイヤー５６がボンディングされる領域を避けて配置する必要がある。そこで、実施形態３では図５（ａ），（ｂ）に示すように、色変換プレート５の端部に切り欠き５８を設けている。
【００５７】
実施形態３の色変換プレート５の製造方法は、図４（ａ）〜（ｃ）に示した実施形態１の製造方法と同様であるが、図４（ａ）の工程で緑色蛍光体分散プレートを金型加工する際に、発光素子３表面のＡｕワイヤパッド形状に対応した形状の切り欠き５８を形成する。
【００５８】
図４（ｂ）の工程において島部となる赤色蛍光体領域２２を形成する際には、実施形態１と同様にスキージ印刷法やディスペンス塗布法が適用できる。ただし、切り欠き５８となる穴部が形成されているため、印刷法の場合には切り欠き５８をフィルムやテープでマスキングすることが望ましい。ディスペンス塗布法の場合には、ディスペンサー装置の滴下位置を切り欠き５８の箇所を避けるプログラムにすることで実施可能である。
【００５９】
図４（ｃ）の工程で、切削歯により大面積プレートを切断することにより、切り欠き５８が形成された色変換プレートを製造することができる。
【００６０】
実施形態３の発光装置の色変換の作用および効果は実施形態１と同様である。
【００６１】
また、実施形態２の紫外光を発光するＭＢ素子と、紫外光を３色に色変換するプレートを用いて、実施形態３と同様に発光装置を構成することも可能である。
【００６２】
本発明の発光装置は、例えば、ＬＣＤバックライト、一般照明、街路灯、などライティングに用いるＬＥＤ光源として利用することができる。
【符号の説明】
【００６３】
１…基板、２…Ａｕハバンプ、３…発光素子、４…透明接着層、５…色変換プレート、６…光反射枠部、２１…緑色蛍光体領域、２２…赤色蛍光体領域、４１…凹部、５３…発光素子（ＭＢ素子）、５６…Ａｕボンディングワイヤー、５７…ＡｕＳｎ共晶、５８…切り欠き。
【図１】
2010192762.tif 000003
【図２】
2010192762.tif 000004
【図３】
2010192762.tif 000005
【図４】
2010192762.tif 000006
【図５】
2010192762.tif 000007